(57)【要約】【課題】基礎ブロック部にコンクリートで一体成型された柱部を有する太陽光発電パネル用架台及び、高さ調節が容易な太陽光発電パネル用架台を提供する。また、強風時の安全機構を備えた太陽光発電パネル用架台を提供する【解決手段】本発明に係る太陽光発電パネル用架台の基礎ブロック部は、前側基礎ブロックと後側基礎ブロックとが一体化しているため、前側基礎ブロックと後側基礎ブロックとの位置調整が不要で、基礎ブロック部の設置を楽に行うことができる。また、前側支柱と後側支柱の高さ調節を個々に行うことができるため、横フレーム及び縦フレームの位置調整を楽に行うことができる。さらに、安全機構を備えた太陽光発電パネル用架台では、想定以上の強風が吹いた場合でも架台のズレや転倒を防止することができる。【選択図】図１
2014163140.tif 000002
【特許請求の範囲】
【請求項１】
基礎ブロック部と、前側支柱と、後側支柱と、
前記前側支柱に設置され太陽光発電パネルを固定するための前側横フレームと、
前記後側支柱に設置され太陽光発電パネルを固定するための後側横フレームと、
を有する太陽光発電パネル用架台において、
前記基礎ブロック部は、上方向に立ち上がり前記前側支柱が設置される前柱部と、上方向に立ち上がり前記後側支柱が設置される後柱部とを備え、前記前柱部と後柱部とは前記基礎ブロック部にコンクリートで一体成形されることを特徴とする太陽光発電パネル用架台。
【請求項２】
前記前側支柱は前記前柱部に高さ調節可能に設置されるとともに、
前記後側支柱は前記後柱部に高さ調節可能に設置されることを特徴とする請求項１記載の太陽光発電パネル用架台。
【請求項３】
前側横フレームを係止するフック部と、
前記フック部を係止側に付勢する弾性部材と、
太陽光発電パネルの急激な上下動を抑制するダンパ部材と、を備え、
前記太陽光発電パネルに所定の風荷重が掛かった時に、前記フック部と前記前側横フレームとの係止状態が解除され、風荷重により前記太陽光発電パネルの前方が回動して浮き上がるとともに、風荷重が減少した場合には前記太陽光発電パネル前方が自重により下がり、これにより前記フック部と前記前側横フレームとが係止状態に復帰することを特徴とする請求項１または請求項２に記載の太陽光発電パネル用架台。
【発明の詳細な説明】
【技術分野】
【０００１】
本発明は、太陽光を受けて発電する太陽光発電パネルを取り付ける太陽光発電パネル用架台に関するものである。
【背景技術】
【０００２】
近年、地球温暖化防止等の観点から自然エネルギーを利用した発電が注目されている。中でも太陽光発電装置は一般家庭や大規模建築物の屋根等に多く設置され世間一般に広く普及している。また、遊休地等に多数の太陽光発電パネルを配置して大規模な太陽光発電を行う所謂メガソーラー発電所の建設も進んでいる。
【０００３】
これら太陽光発電パネルを地面等に設置する場合、例えば下記［特許文献１］の記載にあるように、四隅に基礎ブロックを固定もしくは載置し、この基礎ブロック上に鋼材製の架台を取り付け、この架台上に太陽光発電パネルを設置することが一般的である。
【先行技術文献】
【特許文献】
【０００４】
【特許文献１】特開２０１１−９１１６６号公報
【発明の概要】
【発明が解決しようとする課題】
【０００５】
ここで、地面に太陽光発電パネル用架台を設置する場合、地面を平坦に均した上で基礎ブロックを設置する。しかしながら、平坦に整地したとしても地面には多少の凹凸や傾斜が存在し、基礎ブロックの高さが上下したり若干傾いたりする場合がある。このような場合、太陽光発電パネルを設置する縦横フレームの位置調整のため、個々の基礎ブロックの高さや位置、傾き等を調節することが必要となり、作業効率が悪いという問題点がある。
【０００６】
また、使用する基礎ブロックの重量は設置する架台と太陽光発電パネルの重量、及び太陽光発電パネルへの風荷重を考慮して設計される。しかしながら、想定以上の強風が吹いた場合、基礎ブロックの許容値以上の風荷重が太陽光発電パネルに掛かり、基礎ブロックが移動したり転倒したりする危険性がある。
【０００７】
本発明は上記事情に鑑みてなされたものであり、基礎ブロック部にコンクリートで一体成型された柱部を有する太陽光発電パネル用架台を提供することを目的とする。また、高さ調節が容易な太陽光発電パネル用架台を提供することを目的とする。また、強風時の安全機構を備えた太陽光発電パネル用架台を提供することを目的とする。
【課題を解決するための手段】
【０００８】
本発明は、
（１）基礎ブロック部３０と、前側支柱３４ａと、後側支柱３４ｂと、前記前側支柱３４ａに設置され太陽光発電パネル１０を固定するための前側横フレーム３６ａと、前記後側支柱３４ｂに設置され太陽光発電パネル１０を固定するための後側横フレーム３６ｂと、を有する太陽光発電パネル用架台において、
前記基礎ブロック部３０は、上方向に立ち上がり前記前側支柱３４ａが設置される前柱部３２ａと、上方向に立ち上がり前記後側支柱３４ｂが設置される後柱部３２ｂとを備え、前記前柱部３２ａと後柱部３２ｂとは前記基礎ブロック部３０にコンクリートで一体成形されることを特徴とする太陽光発電パネル用架台８０を提供することにより、上記課題を解決する。
（２）前記前側支柱３４ａは前記前柱部３２ａに高さ調節可能に設置されるとともに、前記後側支柱３４ｂは前記後柱部３２ｂに高さ調節可能に設置されることを特徴とする請求項１記載の太陽光発電パネル用架台８０を提供することにより、上記課題を解決する。
（３）前側横フレーム３６ａを係止するフック部５２と、前記フック部５２を係止側に付勢する弾性部材５４と、太陽光発電パネル１０の急激な上下動を抑制するダンパ部材５６と、を備え、
前記太陽光発電パネル１０に所定の風荷重が掛かった時に、前記フック部５２と前記前側横フレーム３６ａとの係止状態が解除され、風荷重により前記太陽光発電パネル１０の前方が回動して浮き上がるとともに、風荷重が減少した場合には前記太陽光発電パネル１０前方が自重により下がり、これにより前記フック部５２と前記前側横フレーム３６ａとが係止状態に復帰することを特徴とする上記（１）または（２）に記載の太陽光発電パネル用架台８０を提供することにより、上記課題を解決する。
【発明の効果】
【０００９】
本発明に係る太陽光発電パネル用架台の基礎ブロック部は、前部、後部及び前柱部と後柱部とがコンクリートで一体成形されている。このため、太陽光発電パネルを取り付ける横フレーム及び縦フレームの設置を容易に行うことができる。また、本発明に係る太陽光発電パネル用架台は、前柱部と後柱部に設置する前側支柱、後側支柱が高さ調節機能を備えている。このため、横フレーム及び縦フレームの位置調整や角度調整をさらに容易に行うことができる。また、本発明に係る太陽光発電パネル用架台は、強風に対する安全機構を備えている。このため、強風時に架台に掛かる風荷重を軽減することができる。
【図面の簡単な説明】
【００１０】
【図１】本発明に係る太陽光発電パネル用架台を示す図である。
【図２】本発明に係る太陽光発電パネル用架台の使用状態を示す図である。
【図３】本発明に係る太陽光発電パネル用架台の安全機構を説明する図である。
【図４】本発明に係る太陽光発電パネル用架台のフック部を説明する図である。
【発明を実施するための形態】
【００１１】
本発明に係る太陽光発電パネル用架台の実施の形態について図面に基づいて説明する。図１は本発明に係る太陽光発電パネル用架台８０を示す図である。また、図２は本発明に係る太陽光発電パネル用架台８０の使用状態を示す図である。尚、図２においては太陽光発電パネル１０を破線により透明にて表す。また、以後の記載において太陽光発電パネル用架台８０の前側とは、太陽光発電パネル１０の正面手前側を意味し、後側とは正面奥側を意味する。
【００１２】
図１に示す本発明に係る太陽光発電パネル用架台８０は、前柱部３２ａと後柱部３２ｂとを備えた基礎ブロック部３０と、前柱部３２ａに高さ調節可能に設置される前側支柱３４ａと、後柱部３２ｂに高さ調節可能に設置される後側支柱３４ｂと、前側支柱３４ａに設置され太陽光発電パネル１０を固定するための前側横フレーム３６ａと、後側支柱３４ｂに設置され太陽光発電パネル１０を固定するための後側横フレーム３６ｂと、を有している。
【００１３】
基礎ブロック部３０は例えば鉄筋コンクリートにて構成され、前述のように基礎ブロック部３０の前側部には上方向に立ち上がった前柱部３２ａが一体的に成型されている。また、基礎ブロック部３０の後側部には上方向に立ち上がった後柱部３２ｂが一体的に成型されている。また、前柱部３２ａ、後柱部３２ｂには、前側支柱３４ａ、後側支柱３４ｂを取り付けるためのネジ孔が複数形成されている。尚、太陽光発電パネル１０は地面に対して約３０°の角度で設置されることが多い。よって、前柱部３２ａと後柱部３２ｂの頂面の高さの差は基礎ブロック部３０の底面に対して約３０°となるように形成することが好ましい。また、基礎ブロック部３０の底部にアンカー孔４８を設け、アンカー７をアンカー孔４８を通して地中に打ち込むことで基礎ブロック部３０の固定をより強固に行うようにしても良い。この構成によれば、太陽光発電パネル用架台８０に掛かる風荷重の許容値をさらに増加することができる。
【００１４】
前側支柱３４ａ、後側支柱３４ｂは、金属材料で形成され、例えば縦長の長孔４２が前柱部３２ａ、後柱部３２ｂのネジ孔と対応するよう形成されている。そして、この長孔４２にビス等を挿入し前柱部３２ａ、後柱部３２ｂのネジ孔にネジ止めすることで、前側支柱３４ａ、後側支柱３４ｂを前柱部３２ａ、後柱部３２ｂにそれぞれ固定する。尚、前側支柱３４ａ、後側支柱３４ｂは、ビス止めする長孔４２の位置を変化させることで、基礎ブロック部３０（前柱部３２ａ、後柱部３２ｂ）に対してそれぞれ独立して高さ調節を行うことができる。
【００１５】
前側支柱３４ａ、後側支柱３４ｂの上端には、取付ステー４４ａ、４４ｂがそれぞれ回動可能な状態で設置される。そして、前側横フレーム３６ａ、後側横フレーム３６ｂは、取付ステー４４ａ、４４ｂを介して前側支柱３４ａ、後側支柱３４ｂに設置される。尚、太陽光発電パネル用架台８０は基本的に、図２示すように、横方向に複数配列して使用する。よって、前側横フレーム３６ａ、後側横フレーム３６ｂは、横方向に複数配列した太陽光発電パネル用架台８０のそれぞれの取付ステー４４ａ、４４ｂに架け渡すように設置される。ただし、後述の安全機構を備えた構成においては、前側横フレーム３６ａを取付ステー４４ａに上に載置した上でフック部５２により係止し、取付ステー４４ａには直接固定しない。
【００１６】
そして、前側横フレーム３６ａと後側横フレーム３６ｂとには、両者を架け渡すように縦フレーム４６が設置される。尚、この縦フレーム４６は太陽光発電パネル１０の少なくとも両側に１本ずつ配置されるよう複数設置する。そして、この縦フレーム４６に太陽光発電パネル１０を固定することで、太陽光発電パネル１０を太陽光発電パネル用架台８０に固定する。
【００１７】
尚、図２においては、太陽光発電パネル用架台８０を横方向に４台配置して、この太陽光発電パネル用架台８０間に太陽光発電パネル１０を縦に２枚設置し、太陽光発電パネル１０を横３列、縦２列の計６枚設置した例を示している。ただし、太陽光発電パネル１０の設置個数は特にこれに限定されるものではない。
【００１８】
次に、太陽光発電パネル用架台８０の設置方法を説明する。先ず、基礎ブロック部３０を設置する地面を整地する。次に、太陽光発電パネル用架台８０の基礎ブロック部３０を所定の位置に配置する。このとき、必要であればアンカー７をアンカー孔４８を通して地中に打ち込み、基礎ブロック部３０を固定する。次に、基礎ブロック部３０の前側支柱３４ａの取付ステー４４ａに前側横フレーム３６ａを設置する。このとき、前側支柱３４ａの取付け高さをそれぞれ調整し、前側横フレーム３６ａを例えば地面と略平行になるように位置調整する。これと前後して、後側支柱３４ｂの取付ステー４４ｂに後側横フレーム３６ｂを設置する。このとき、後側支柱３４ｂのそれぞれの取付け高さを調整し、後側横フレーム３６ｂを前側横フレーム３６ａと略平行になるように位置調整する。また、前側横フレーム３６ａと後側横フレーム３６ｂとの高さ位置が、例えば地面に対して３０°となるよう前側支柱３４ａの取付け高さ及び後側支柱３４ｂの取付け高さを調整する。次に、縦フレーム４６を前側横フレーム３６ａと後側横フレーム３６ｂとに架け渡すようにして所定の個数設置する。これにより、太陽光発電パネル用架台８０の設置が完了する。次に、この縦フレーム４６に太陽光発電パネル１０を固定する。これにより、太陽光発電パネル用架台８０に太陽光発電パネル１０が設置される。
【００１９】
このように、本発明に係る太陽光発電パネル用架台８０の基礎ブロック部３０は、従来の架台における前側基礎ブロックと後側基礎ブロックとが連結した構成となっている。このため、前側基礎ブロックと後側基礎ブロックとの位置調整が不要で、基礎ブロック部３０の設置を楽に行うことができる。また、前側支柱３４ａと後側支柱３４ｂの高さ調節を個々に行うことができるため、地面に若干の凹凸や傾斜が存在し、基礎ブロック部３０が多少上下しても、横フレーム３６ａ、３６ｂ及び縦フレーム４６の位置調整を楽に行うことができる。
【００２０】
また、本発明に係る太陽光発電パネル用架台８０は以下に示す強風時の安全機構を備えていても良い。この太陽光発電パネル用架台８０の安全機構は、図３（ａ）に示すように、前側横フレーム３６ａを係止するフック部５２と、フック部５２を前側横フレーム３６ａの係止側に付勢する弾性部材５４と、太陽光発電パネル１０の急激な上下動を抑制するダンパ部材５６と、を有している。尚、この安全機構を備える場合、前側横フレーム３６ａは円筒状のパイプを用いることが好ましい。また、フック部５２が係止する領域のみを円筒状としても良い。さらに、前側横フレーム３６ａに円筒状パイプを平行に固定して、これにフック部５２を係止するようにしても良い。尚、前述のように、この安全機構を備えた太陽光発電パネル用架台８０では、前側横フレーム３６ａと前側支柱３４ａ（取付ステー４４ａ）とは固定しない。
【００２１】
フック部５２の一端は、例えば図４に示すように、前側横フレーム３６ａを係止する突出した鉤状部となっており、鉤状部の上面は斜面５２ａとなっている。また、鉤状部の底面は前側横フレーム３６ａが掛かる係止面５２ｂとなっている。尚、鉤状部の係止面５２ｂの突端５２ｃは所定の寸法でアール付することが好ましい。そして、フック部５２は回転軸５２ｄにより軸支され、この回転軸５２ｄを支点に回動する。また、フック部５２のもう一端には、図３に示すように、弾性部材５４が設置される。この安全機構に使用する弾性部材５４に特に限定は無く、コイルバネや板バネ等、周知の弾性部材を用いることができる。尚、図３の例では引張バネで構成される弾性部材５４がフック部５２の下端を後側に引張ることで、支点を挟んだ鉤状部側を前方に付勢し、前側横フレーム３６ａを係止する構成となっている。
【００２２】
また、安全機構を構成するダンパ部材５６はショックアブゾーバ等の周知のダンパ部材が用いられ、その一端は例えば太陽光発電パネル１０を固定する縦フレーム４６等に連結される。また、ダンパ部材５６の他端は基礎ブロック部３０等の架台側に連結される。
【００２３】
次に、安全機構の動作を説明する。先ず、太陽光発電パネル１０に掛かる風荷重が安全機構の動作値よりも低い場合、太陽光発電パネル１０及び前側横フレーム３６ａはその自重により取付ステー４４ａ上に位置する。このとき、フック部５２は、図３（ａ）に示すように、弾性部材５４の弾性力により前側横フレーム３６ａを取付ステー４４ａ側に付勢する（係止状態）。
【００２４】
次に、図３（ｂ）の白抜き矢印の方向から風が吹いた場合、この風荷重により太陽光発電パネル１０には上方向の力が働く。そして、この風荷重による力が弾性部材５４の付勢力を上回り安全機構の動作値以上となると、図３（ｂ）に示すように、前側横フレーム３６ａが持ち上がり、これに伴ってフック部５２が回動し係止状態が解除される。
【００２５】
このとき、太陽光発電パネル１０の後方は後側横フレーム３６ｂを介して回動可能な取付ステー４４ｂに設置されている。よって、フック部５２の係止状態が解除されると太陽光発電パネル１０の前方はフリー状態となる。そして、図３（ｃ）に示すように、太陽光発電パネル１０の前方は太陽光発電パネル１０に掛かる風荷重により取付ステー４４ｂ部を支点に回動して浮き上がる。この際、ダンパ部材５６は太陽光発電パネル１０の急激な上下動を抑制する。そして、この太陽光発電パネル１０の回動により太陽光発電パネル１０の前方と太陽光発電パネル用架台８０との間は開放し、太陽光発電パネル用架台８０に掛かる風荷重は減少する。これにより、想定以上の強風が吹いた場合でも太陽光発電パネル用架台８０のズレや転倒を防止することができる。また、過剰な風荷重が太陽光発電パネル用架台８０に掛かることが防止されるため、基礎ブロック部３０の軽量化が可能となる。
【００２６】
次に、太陽光発電パネル１０への風が弱まると、太陽光発電パネル１０の前方は太陽光発電パネル１０及び前側横フレーム３６ａ等の自重により落下する。このときも、ダンパ部材５６は太陽光発電パネル１０の急激な上下動を抑制する。
【００２７】
太陽光発電パネル１０の前方が落下すると、前側横フレーム３６ａがフック部５２の斜面５２ａに当接する。そして、斜面５２ａを押圧しながら更に落下する。これにより、フック部５２は、図３（ｄ）に示すように、回転軸を支点に解除方向に回動する。
【００２８】
そして、前側横フレーム３６ａがフック部５２の係止面５２ｂの位置まで落下すると、フック部５２は弾性部材５４の付勢力により前側横フレーム３６ａの係止方向に回動する。これにより、図３（ａ）に示すように、前側横フレーム３６ａとフック部５２とは係止状態に復帰する。
【００２９】
以上のように、本発明に係る太陽光発電パネル用架台８０の基礎ブロック部３０は、前側基礎ブロックと後側基礎ブロックとが一体化している。このため、前側基礎ブロックと後側基礎ブロックとの位置調整が不要で、基礎ブロック部３０の設置を楽に行うことができる。また、前柱部３２ａと後柱部３２ｂとが基礎ブロック部３０に一体的に形成され、さらに前柱部３２ａと後柱部３２ｂとに設置する前側支柱３４ａと後側支柱３４ｂとが高さ調節可能となっている。このため、地面に若干の凹凸や傾斜が存在し基礎ブロック部３０が多少上下しても、横フレーム３６ａ、３６ｂ及び縦フレーム４６の位置調整を楽に行うことができる。これらのことは、多数の太陽光発電パネル１０を広範囲に亘って設置するメガソーラー発電所において特に効果を発揮する。
【００３０】
また、本発明に係る太陽光発電パネル用架台８０の基礎ブロック部３０は、上方向に立ち上がった前柱部３２ａと後柱部３２ｂとを有している。このため、同等の接地面積を有する従来の基礎ブロックよりも大きな重量を有している。これにより、従来の基礎ブロックと比較して風荷重に対する高い許容値を有している。
【００３１】
また、安全機構を備えた太陽光発電パネル用架台８０では、強風時に太陽光発電パネル１０と太陽光発電パネル用架台８０との間が開放し、太陽光発電パネル用架台８０に掛かる風荷重を軽減することができる。これにより、想定以上の強風が吹いた場合でも太陽光発電パネル用架台８０のズレや転倒を防止することができる。
【００３２】
尚、本例で示した太陽光発電パネル用架台８０は一例であり、前側、後側支柱３４ａ、３４ｂ、前側、後側横フレーム３６ａ、３６ｂ、縦フレーム４６、太陽光発電パネル１０等の各部材の形状、構成、取付け手法等はこれに限定されるわけではない。また、安全機構を構成するフック部５２、弾性部材５４、ダンパ部材５６等の各部材の形状、構成、取付け手法等もこれに限定されるわけではない。さらに、本発明は本発明の要旨を逸脱しない範囲で変更して実施することが可能である。
【符号の説明】
【００３３】
１０    太陽光発電パネル
３０    基礎ブロック部
３２ａ  前柱部
３２ｂ  後柱部
３４ａ  前側支柱
３４ｂ  後側支柱
３６ａ  前側横フレーム
３６ｂ  後側横フレーム
５２    フック部
５４    弾性部材
５６    ダンパ部材
８０    太陽光発電パネル用架台
【図１】
2014163140.tif 000003
【図２】
2014163140.tif 000004
【図３】
2014163140.tif 000005
【図４】
2014163140.tif 000006